(57)【要約】【課題】既設の遊技機島に追加配置可能で、悪戯や不正遊技に対する安全性が高く、遊技台の入れ替え時に、邪魔にならない各台計数機を安価に提供する。【解決手段】遊技機島の膳板上における玉箱７００の取付部には、係止部９３０と可動側の係止部材７２０と係止させる方向に付勢する付勢部材７５０とを備えるロック機構を設け、係止部９３０を膳板の上面に止着したベース板の上面に設け、係止部材７２０は、玉箱７００の底板下面に回動自在に軸着される回動部材であって、係止部９３０に係止可能な鈎状の顎部７２１と、操作部材７３０の先端が当接する受部７２３とを備えてなり、縁壁７６０に開設した操作部材挿通部７６１から操作部材７３０を挿入して、係止部９３０と係止部材７２０との係止を解除して玉箱７００をベース板から取り外すようにした。【選択図】図２１
2010233868.tif 000002
【特許請求の範囲】
【請求項１】
遊技台を列設して構成した遊技機島において、遊技機島の膳板に対して着脱自在に取り付けられて、遊技台から排出される出玉を受け止める玉箱を備え、受け止めた出玉を各遊技台毎に計数して回収樋へ還元する各台計数機であって、
前記遊技機島の膳板上における玉箱の取付部には、固定側の係止部と、該係止部に係止することにより前記玉箱の移動を阻止する可動側の係止部材と、該係止部材を前記係止部に係止させる方向に付勢する付勢部材と、を備えるロック機構を設け、
前記ロック機構を外部から操作する操作部材によって、前記付勢部材の付勢に抗して前記係止部材と前記係止部との係止を解除して、前記玉箱を前記膳板から取り外すようにしたことを特徴とする各台計数機。
【請求項２】
前記係止部を、前記膳板の上面に止着したベース板の上面に設け、
前記係止部材は、前記玉箱の底板下面に回動自在に軸着される回動部材であって、前記係止部に係止可能な鈎状の顎部と、前記付勢部材の一端を止着するレバー部と、前記操作部材の先端が当接する受部と、を略等間隔で放射状に備えてなり、
前記玉箱の底板の周囲に縁壁を立ち下げてロック機構収納空間を形成し、該ロック機構収納空間に前記係止部材を収設し、
前記付勢部材の他端を前記玉箱の底板下面に突設した止着部に止着して、前記係止部材を前記係止部に係止させる方向に付勢し、
前記縁壁に開設した操作部材挿通部から前記操作部材を挿入して、該操作部材の先端を前記係止部材の受部に当接させることにより、前記係止部材を前記付勢部材の付勢に抗して回動させて、前記係止部と前記係止部材の顎部との係止を解除するようにしたことを特徴とする請求項１に記載の各台計数機。
【発明の詳細な説明】
【技術分野】
【０００１】
本発明は、遊技店における各台計数機に関し、詳しくは、遊技者がパチンコ遊技で獲得した出玉を、その場で計数可能な各台計数機に関するものである。
【背景技術】
【０００２】
従来、パチンコ遊技店においては、遊技者が獲得した出玉の計数は、パチンコ遊技を行なう遊技台とは別に設定した景品カウンターの玉計数機、あるいは遊技台を列状に設置したいわゆる遊技機島の中央部や端部に設置した玉数計数機によって行っていた。一方、近年の遊技台は１台あたりの出玉が多く、遊技者は獲得した出玉を大きな玉箱に入れて一時保管しておき、その遊技台での遊技終了後、あるいは遊技途中に、遊技台を離れて玉計数機が設置された景品カウンターあるいは各設置場所の玉計数機へ行って一度に計数を行い、計数結果を磁気カード等の記憶媒体に記憶するか、あるいはレシート等に印字していた。そして、計数の済んだパチンコ玉は、その後、再び遊技機島へ還元されていた。
【０００３】
しかしながら、このような、遊技者が獲得した出玉を景品カウンター等の遊技台とは異なる所で計数する方法では、各遊技者がパチンコ遊技中に各遊技台位置で出玉を玉箱に保管しているため、遊技機島あるいは遊技台内で実働する玉数が減少する問題点があった。すなわち、パチンコ遊技店全体で必要な玉数は、遊技台内で実働する玉数と各遊技者が遊技台位置で保管している玉数とを加えたものとなり、遊技台位置で各遊技者が保管しているだけで実働していない余分な玉をも揃える必要があるという問題点を有していた。特に、近年の出玉数が多い遊技台では実働する玉数が不足するという問題が発生していた。また、獲得した出玉が多くなるほど、保管するための玉箱の数が増えるとともに玉箱の全重量も増加するので、計数場所へ玉箱を移動するのが困難であった。
【０００４】
そこで、各遊技台に計数機を付設し、その場で出玉の計数を可能なようにした玉箱および玉計数装置が、例えば特許文献１等によって知られている。
【０００５】
一方、従来から、パチンコ台などの遊技台と遊技台との間に形成される隙間部には、台間玉貸機が設置されるようになっており、このように遊技台の間に台間玉貸機を設置することにより、客が席を離れて遊技媒体であるパチンコ玉を借りに行く手間を省くことができるようになっている。なお、本明細書では、台間玉貸機と称した場合に、玉貸機本体と周辺機器を含むものとする。
【先行技術文献】
【特許文献】
【０００６】
【特許文献１】特開平９−３１３７２９号公報
【発明の概要】
【発明が解決しようとする課題】
【０００７】
しかしながら、各遊技台に対応して計数機を設ける場合には、様々な問題点が発生していた。例えば、玉箱は、遊技機島に形成された膳板（テーブルということもある）の所定の位置に、正確かつ確実に設置しなければならない。また、不心得な遊技者による悪戯や不正遊技に対する対策も必要である。
【０００８】
そこで、従来は、玉箱および膳板に、例えばボールキャッチ等の止着部材による位置決め取付装置を設けていた。この位置決め取付装置によれば、玉箱を所定の位置に取り付けることができるが、簡単に取り外すことが可能であるので、遊技者に悪戯されたり、持ち
去られることがあった。
【０００９】
このため、さらに施錠装置を追加したものが存在していた。施錠装置を備えていれば、玉箱の持ち去りを防止できるようになるが、玉箱の周囲が複雑になることが否めないし、コストアップに繋がってしまう。また、施錠装置の構造によっては、固定部分が片持ちになってしまい、バランスを欠く場合があった。
【００１０】
一方、玉箱を膳板に完全に固定してしまえば、玉箱の持ち去りは確実に防止できる。しかし、遊技台を入れ替える際には、玉箱が邪魔になり、この玉箱を撤去しなければならないため、作業が繁雑になってしまう問題があった。
【００１１】
また、玉箱を膳板に対して着脱可能に構成しても、この玉箱と計数機とを連絡する玉通路を形成する玉樋部材は固定式となるので、この玉樋部材が遊技台の入れ替え時に邪魔になることがあった。
【００１２】
さらに、従来の各台計数機においては、玉箱から各台計数機へ玉を誘導する玉通路、すなわち玉通路を形成する玉樋部材は、通常、玉箱の底部に接続されており、玉は、玉箱の底部に開設した玉出口から下方へ延びる膳板よりも下側に位置する玉通路によって計数機へ運ばれていた。
【００１３】
しかも、台間玉貸機を配置した既設の遊技機島に、各台計数機を追加するには、台間玉貸機の交換が必要になり、遊技機島の全面的な改装工事が必要であった。
【００１４】
本発明は、上記に鑑みなされたものであり、既設の遊技機島に追加配置可能な各台計数機を安価に提供することを第１の目的とする。また、悪戯や不正遊技に対する安全性の高い各台計数機を提供することを第２の目的とする。さらに、遊技台の入れ替え時に、邪魔にならない各台計数機を提供することを第３の目的とする。
【課題を解決するための手段】
【００１５】
請求項１に係る発明は、遊技台を列設して構成した遊技機島において、遊技機島の膳板に対して着脱自在に取り付けられて、遊技台から排出される出玉を受け止める玉箱を備え、受け止めた出玉を各遊技台毎に計数して回収樋へ還元する各台計数機であって、前記遊技機島の膳板上における玉箱の取付部には、固定側の係止部と、該係止部に係止することにより前記玉箱の移動を阻止する可動側の係止部材と、該係止部材を前記係止部に係止させる方向に付勢する付勢部材と、を備えるロック機構を設け、前記ロック機構を外部から操作する操作部材によって、前記付勢部材の付勢に抗して前記係止部材と前記係止部との係止を解除して、前記玉箱を前記膳板から取り外すようにしたことを特徴とする。
【００１６】
請求項２に係る発明は、請求項１に記載の構成に加えて、前記係止部を、前記膳板の上面に止着したベース板の上面に設け、前記係止部材は、前記玉箱の底板下面に回動自在に軸着される回動部材であって、前記係止部に係止可能な鈎状の顎部と、前記付勢部材の一端を止着するレバー部と、前記操作部材の先端が当接する受部と、を略等間隔で放射状に備えてなり、前記玉箱の底板の周囲に縁壁を立ち下げてロック機構収納空間を形成し、該ロック機構収納空間に前記係止部材を収設し、前記付勢部材の他端を前記玉箱の底板下面に突設した止着部に止着して、前記係止部材を前記係止部に係止させる方向に付勢し、前記縁壁に開設した操作部材挿通部から前記操作部材を挿入して、該操作部材の先端を前記係止部材の受部に当接させることにより、前記係止部材を前記付勢部材の付勢に抗して回動させて、前記係止部と前記係止部材の顎部との係止を解除するようにしたことを特徴とする。
【発明の効果】
【００１７】
本発明の各台計数機によれば、遊技機島の膳板上に玉箱を取り付け、この玉箱から台間玉貸機の下方に設けた各台計数機の計数部へ玉樋部材を介して出玉を誘導し、遊技台を離れることなく出玉を計数することができるため、きわめて利便性が高い。また、玉箱を取り外す場合に、操作部材が必要となるので、この操作部材を持たない遊技者に、玉箱を外されるなどの悪戯をされる虞れがなく、安全性が高い。一方、操作部材を用いて正式な手順を踏めば、玉箱を容易に取り外すことができるので、遊技台を入れ替えるときに、交換作業の邪魔になることがなく作業性が向上する。また、操作部材は、簡単な構成であるので、安価に提供することが可能である。
【００１８】
そして、台間玉貸機の下方に、各台計数機を設けているので、当初は電源ユニットが位置していたスペースに計数機ユニットを配置することが可能になる。また、従来の台間玉貸機を配置した遊技機島において各台計数機の機能を追加する場合には、台間玉貸機の交換が必要であったが、本発明の各台計数機によれば、玉貸機本体を交換する必要がない。したがって、遊技機島の大幅な改修を行なうことなく、安価に各台計数機の機能を追加することが可能である。
【図面の簡単な説明】
【００１９】
【図１】本発明に係る台間玉貸機の概略を説明するための正面図である。
【図２】従来の台間玉貸機の概略を説明するための正面図である。
【図３】台間玉貸機を遊技機島に設置するための取付枠の斜視図である。
【図４】取付枠を示し、（ａ）は平面図、（ｂ）は左側面図、（ｃ）は正面図、（ｄ）は右側面図、（ｅ）は底面図である。
【図５】玉貸機本体を示し、（ａ）は前方から見た斜視図、（ｂ）は後方から見た斜視図である。
【図６】台間玉貸機の概略を示し、（ａ）は側板を外した状態の玉貸機本体の斜視図、（ｂ）は電源ユニットの斜視図、（ｃ）は計数機ユニットおよび玉箱の斜視図である。
【図７】取付枠に対して、玉貸機本体および電源ユニットまたは計数機ユニットを取り付ける方法を説明する図である。
【図８】取付枠に対して、玉貸機本体、電源ユニット、計数機ユニットを取り付ける方法を説明する斜視図である。
【図９】取付枠に、玉貸機本体、電源ユニット、計数機ユニットを取り付けた状態の斜視図である。
【図１０】計数機ユニットを取り付けた取付枠に、電源ユニットおよび中継基板ユニットを取り付ける方法を説明する斜視図である。
【図１１】ベース板の斜視図である。
【図１２】玉箱と玉樋部材の一部を欠截した平面図である。
【図１３】玉箱と玉樋部材の斜視図である。
【図１４】摺動部材を示し、（ａ）は斜視図、（ｂ）は左側面図、（ｃ）は右側面図である。
【図１５】摺動部材を示し、（ａ）は平面図、（ｂ）は正面図、（ｃ）は底面図である。
【図１６】玉樋部材を示し、（ａ）は平面図、（ｂ）は（ａ）のＢ−Ｂ線断面図である。
【図１７】係合部と係合受部との係合を解除した状態の玉箱と玉樋部材の平面図である。
【図１８】摺動部材を摺動させた状態の玉箱と玉樋部材の平面図である。
【図１９】摺動部材を摺動させた状態の玉箱と玉樋部材の斜視図である。
【図２０】玉樋部材を分割し、第２玉樋部材を回動させた状態の玉箱と玉樋部材の平面図である。
【図２１】係止部と係止部材とが係止した状態を示す玉箱の底面図である。
【図２２】係止部と係止部材との係止を解除した状態を示す玉箱の底面図である。
【図２３】止着片と止着受部とが係止して、玉箱をベース板に取り付けた状態を示す一部を欠截した側面図である。
【図２４】止着片と止着受部との係止を解除するように、玉箱を前方へ僅かに移動させた状態を示す一部を欠截した側面図である。
【図２５】玉箱をベース板から取り外した状態を示す正面図である。
【発明を実施するための形態】
【００２０】
本発明の一実施例を、図面を参照して説明する。図１は、本発明に係る各台計数機の概略を説明するための正面図であり、遊技台に隣接して配置される台間玉貸機の下方に配置され、遊技台の前方には玉箱が配置されている。また、図２は、各台計数機を備えていない台間玉貸機および遊技台の正面図である。
【００２１】
先ず、各台計数機を構成する計数機ユニット５００および台間玉貸機を構成する玉貸機本体２００を取り付けるための取付枠３００について説明する。この取付枠３００は、図３および図４に示すように、断面図の形状が、略コ字状になるように形成された部材であって、鉛直方向に延びる支柱部３１０と、この支柱部３１０の上端から前方に延びる上止着部３２０と、支柱部３１０の下端から前方に延びる下止着部３３０と、を備えている。
【００２２】
支柱部３１０は、背板３１１の両側縁に、前方へ向けて延出し、互いに向き合う一対の側片３１２、３１２が屈曲形成してある。そして、この一対の側片３１２、３１２の間に、後述する玉貸機本体２００が位置することになる。また、支柱部３１０の背板３１１には、後述する中継基板ユニット８００のコネクタ８２１を通したり、固定用のガイドピン８７０を挿通したりする種々の開口部３４１ａ、３４１ｂ、３４１ｃ、３４１…、あるいはねじ孔３４２等が、適宜に設けてある。
【００２３】
一方、上止着部３２０には、この取付枠３００を遊技機島に固定するための取付片３４３や、玉の補給路を確保するための開口部３４１ｄ等が、適宜に設けてある。さらに、下止着部３３０にも、取付孔３４４や開口部３４１ｅ等が、適宜に設けてある。
【００２４】
また、遊技者に遊技媒体であるパチンコ玉を貸し出すための玉貸機本体２００は、どのようなタイプのものであってもよい。すなわち、紙幣または硬貨を投入する現金玉貸機や、カードあるいはコインなどのプリペイド媒体を必要とするＣＲユニット玉貸機や、あるいはＣＲユニットを搭載しているが、非現金媒体（カード、コインなどのプリペイド媒体現金）を必要とすることなく、直接現金で玉貸しが可能なシステムに用いるものであってもよい。
【００２５】
ここで、図１以降に示す実施例における玉貸機本体２００は、上記直接現金で玉貸しが可能なシステムに対応したものである。この玉貸機本体２００を簡単に説明する。先ず、状態表示ランプ２１１は、異なる色彩で運用状態を表示する。残高・貯玉度数表示部２１２は、紙幣挿入口２１３へ紙幣を挿入したときに、預り金残高を表示する。切替スイッチ２１４は、預り金残高と貯玉度数の表示を切り替える。持玉表示部２１５は、持玉（計数玉）を表示する。払出スイッチ２１６は、最低払出玉数／度数以上持っているときに点灯し、押すと持玉→貯玉の順で玉を払い出す。
【００２６】
テンキー２１７は、暗証番号を入力するときに使用する。返却ランプ２１８は、コイン／会員カード返却時に点滅し、取り忘れがないように注意を喚起する。また、ＩＣタグタッチ部２１９は、メンテナンス時に従業員がテンキー２１７と併用して使用する。
【００２７】
一方、玉貸機本体２００の内部は、例えば、図６（ａ）に示すように、種々の部品が収設してある。すなわち、図６（ａ）は、玉貸機本体２００の側板２２１を外して内部を視認可能にした前方から見た斜視図である。なお、側板２２１の着脱は、例えば、図５に示すように、係止爪２２２を、側板２２１に設けた切欠溝の側縁に係止させて行なっている。このようにして、側板２２１を係止爪２２２によって着脱自在に構成すると、ねじ止めなどに比べて、着脱に要する手間を大幅に削減することができ、側板２２１の着脱がきわめて容易になる。したがって、メンテナンス作業や組立作業時に便利であり、作業の効率化が図れる。
【００２８】
紙幣識別機２３１では、紙幣挿入口２１３から挿入された紙幣の真贋を判別し、正規の紙幣を図示していない紙幣搬送装置へ受け渡す。玉切りユニット２３２は、図示していない補給樋から玉通路を介して流入する玉をカウントして、必要数量を貸出しノズル２３３から遊技台１００の上皿１１０へ供給する。コアモジュール２３４は、セキュリティ基板であり、制御基板２３５は、玉貸機全体の制御を行なう。コイン・カードユニット２３６は、コインが最大９枚までストック可能で、情報の読み込みや書き込みを行なう。また、会員カードへ情報の読み込みや書き込みを行なう。なお、図中、符号２３７は、コイン挿入口、２３８はコイン返却口、２３９は会員カード挿入口である。
【００２９】
玉貸機本体２００の下方には、通常、電源ユニット４００を配置する。この電源ユニット４００を配置し、各台計数機を備えないものが、図２に示す実施例である。電源ユニット４００は、略矩形のケース４１０に収納されており、背面側から図示していないケーブル、例えばＡＣ接続ケーブル、電源スイッチケーブル、ＤＣ出力ケーブルが延出している。また、ケース４１０の上縁には、一対のレール片４２１、４２１を当該ケース４１０の長手方向に沿って起立させてレール部４２０を設けている。さらに、ケース４１０の前面には、装飾用の化粧部材４３０が取り付けてある（図６（ｂ）参照）。
【００３０】
この電源ユニット４００を、取付枠３００の下止着部３３０に前方から挿入して、取付孔３４４等を利用してねじ等で固定する。そして、この電源ユニット４００の上方領域において、玉貸機本体２００の下縁に形成したレール受部２５０を、電源ユニット４００のレール部４２０に嵌合させて取付枠３００の奥へ向けてスライドさせるとともに、取付枠
３００の上止着部３２０に玉貸機本体２００の上縁部分を挿入して、取付孔等を利用して固定する。
【００３１】
このようにして、玉貸機本体２００と電源ユニット４００を取付枠３００に固定すれば、玉貸機本体２００と電源ユニット４００とを一体化して設置することができ、統一された意匠とすることもできる。
【００３２】
一方、計数機ユニット５００を選択して、獲得した出玉をその場で計数可能な各台計数機を形成することも、きわめて容易にできる。すなわち、図８に示すように、計数機ユニット５００を選択した場合には、前記電源ユニット４００と同一形状、同一サイズに形成した計数機ユニット５００を、取付枠３００の下止着部３３０に、前方から挿入して、取付孔３４４等を利用して固定する。
【００３３】
次に、この計数機ユニット５００の上に、玉貸機本体２００の下面を載せるとともに、取付枠３００の上止着部３２０に玉貸機本体２００の上縁部分を挿入して、取付孔等を利用して、玉貸機本体２００を取付枠３００に固定する（図９参照）。すなわち、前記した電源ユニット４００の場合と同様に、計数機ユニット５００の上方領域において、玉貸機本体２００の下縁に形成したレール受部２５０を、計数機ユニット５００のレール部５２０に嵌合させて取付枠３００の奥へ向けてスライドさせるとともに、取付枠３００の上止着部３２０に玉貸機本体２００の上縁部分を挿入して、取付孔等を利用して固定する。なお、計数機ユニット５００もケース５１０に収納され、一対のレール片５２１、５２１でレール部５２０を構成している。
【００３４】
また、後述するが、計数機ユニット５００には、玉通路を形成するための玉樋部材６００の一端を接続するとともに、玉樋部材６００の他端を遊技台１００の前面側に配置した玉箱７００の側面に接続する。そして、玉貸機本体２００の下方に各台計数機を構成するために、後述する計数機ユニット５００を配置した実施例が図１に示してある。計数機ユニット５００を玉貸機本体２００の下方に配置すると、獲得した出玉をその場で計数可能な各台計数機を形成することができる。
【００３５】
そこで、先ず、玉箱７００について説明する。玉箱７００は、遊技台１００から排出される出玉を受け止める。玉箱７００は、遊技機島の膳板（図示せず）上に設置したベース板９００によって形成する玉箱７００の取付部に、着脱自在に取り付けられている。
【００３６】
ベース板９００は、例えば図１１に示すように、浅い皿状の部材であって、遊技機島を構成する膳板の上に止着される。このベース板９００は、玉箱７００の取付部を構成する部材である。そして、この取付部には、ロックされた状態では膳板に対して取り付けた玉箱７００の取り外しを阻止し、ロックを解除した状態では玉箱７００の取り外しを可能にするロック機構が設けてある。
【００３７】
また、図１１に示すベース板９００は、皿状に形成した凹陥部９１０の所定位置、例えば略四隅に後述する玉箱７００の止着片７４２が係止する止着片受部９２０が設けてある。
【００３８】
ロック機構は、固定状の係止部９３０と、この係止部９３０に係止することにより玉箱７００の移動を阻止する可動可能な係止部材７２０と、この係止部材７２０を可動させて係止部９３０との係止を解除するための操作部材７３０と、を備えている。
【００３９】
具体的には、固定側の係止部９３０は、膳板に止着するベース板９００の上面に突設してある。一方、可動する係止部材７２０は、後述する玉箱７００の底板下面７４０に設け
てある（図２１，２２参照）。この係止部材７２０は、玉箱７００の底板下面７４０に回動自在に軸着される回動部材であって、前記ベース板９００の係止部９３０に係止可能な鈎状の顎部７２１と、係止部材７２０を係止部９３０に係止させる方向に付勢する付勢部材７５０と、この付勢部材７５０の一端を止着するレバー部７２２と、後述する操作部材７３０の先端が当接する受部７２３と、を略等間隔で放射状に備えている。
【００４０】
付勢部材７５０は、例えばコイルバネであって、図２１，２２に示す実施例では、他端を玉箱７００の底板下面７４０に突設した止着部７４３に止着して、係止部材７２０は時計方向に付勢している。なお、付勢部材７５０は、コイルバネに限るものではなく、他の弾性部材であってもよい。
【００４１】
また、この係止部材７２０は、玉箱７００の底板に縁壁７６０を立ち下げて形成したロック機構収納空間に収設してある。なお、このロック機構収納空間は、前記ベース板９００の凹陥部９１０と、玉箱７００の縁壁７６０とが合わさって形成される。
【００４２】
さらに、縁壁７６０には、後述する操作部材を、ロック機構収納空間に挿入するために、操作部材挿入部７６１が設けてある。そして、この操作部材挿入部７６１から挿入した操作部材７３０の先端を、係止部材７２０の受部７２３に当接させることにより、係止部材７２０を付勢部材７５０の付勢に抗して回動させることにより、係止部９３０と係止部材７２０の顎部７２１との係止を解除する（図２２参照）。
【００４３】
ベース板９００に設ける係止部９３０は、この実施例においては、ベース板９００から延出する弾性腕９３１の先端に設けてある。これは、図２４（ｂ）に示すように、玉箱７００を取り外す際、この弾性腕９３１の変形によって係止部材７２０の顎部７２１を一旦逃すためのものである。一方、玉箱７００を取り外すときには、後述する操作部材７３０によって係止部９３０と係止部材７２０との係止を解除して、玉箱７００を若干手前へ引き出して取り外す。
【００４４】
係止部材７２０を回動させて係止部９３０と係止部材７２０との係止を解除するための操作部材７３０は、棒状の部材であり、玉箱７００の縁壁７６０に開設した操作部材挿入部７６１に挿入可能に形成してある。すなわち、この実施例では、スリット状に開設した操作部材挿入部７６１に挿入可能なように、先端部分を一段幅狭に絞った板状に形成した部材である（例えば、図２１参照）。この操作部材７３０は、プレス加工等により簡単に形成することができ、きわめて安価である。
【００４５】
なお、玉箱７００には、遊技台１００から排出される出玉を貯留する貯留空間７７０が形成され、この貯留空間７７０の底部には、出玉を整列させて側壁部分に形成した玉出口に向けて誘導するための誘導リブ７７１および誘導傾斜が適宜設けてある。
【００４６】
玉箱７００の出玉を計数機ユニットの計数部へ導く玉通路を形成する玉樋部材６００は、上流側の第１玉樋部材６１１と、下流側の第２玉樋部材６１２とに流下方向の途中で分割してあり、両玉樋部材６１１，６１２を接続する摺動部材６２０とを備えている。
【００４７】
第１玉樋部材６１１および第２玉樋部材６１２の一端側の接続端部には、互いに嵌合する嵌合段部６３１，６３２がそれぞれ形成してある（図１８，１９参照）。また、第１玉樋部材６１１の他端は、玉箱７００の側面に接続してある。一方、第２玉樋部材６１２の他端は、計数機ユニットの計数部の玉入口に、回動可能に枢着してある。なお、図１２に、玉樋部材６００の一部を切り欠いて示すように、第１玉樋部材６１１の底板６１１０および第２玉樋部材６１２の底板６１２０には、玉を整列させて流下させるリブ６１１１，６１２１が、それぞれ設けてある。
【００４８】
そして、第１玉樋部材６１１の嵌合段部６３１と第２玉樋部材６１２の嵌合段部６３２とが互いに嵌合して接続状態にあるときに、摺動部材６２０を第１玉樋部材６１１と第２玉樋部材６１２との接続部分に位置させることにより、互いに係合して摺動部材６２０の摺動を阻止する係合部６４０および係合受部６５０を、摺動部材６２０および第１玉樋部材６１１または第２玉樋部材６１２にそれぞれ設ける。
【００４９】
具体的には、例えば、図１４，１５，１６に示すように、略角筒形状に形成した摺動部材６２０の一側面に、弾性変形可能に突設した腕部材６４１の先端に、鈎状の係合部６４０を設けている。一方、この係合部６４０に対応して、第２玉樋部材６１２の側面に、山状に突出する係合受部６５０が設けてある。また、摺動部材６２０には、第１玉通路部材６１１に対する位置決めを行なうストッパ孔６８０が設けてあり、このストッパ孔６８０に第１玉樋部材６１１に設けたストッパ片６８１の突部６８２が嵌入して係止する。そこで、摺動部材６２０が位置決めされ、この状態で係合部６４０と係合部材６５０とが係合するように、玉箱７００を膳板に配置する。このようにすれば、玉箱７００を正確に配置することができる。
【００５０】
そして、これらの係合部６４０と係合受部６５０との係合を解除するための操作部６４２が設けてある。すなわち、この操作部６４２は、前記係合部６４０の上下幅を大きく採ることにより、係合部６４０と一体に形成して、後述する操作部材７３０の操作を受け付けるように形成してある。
【００５１】
さらに、摺動部材６２０には、操作部６４２を操作するための操作部材７３０を受け入れるための操作部材挿通部６６０が設けてある。この操作部材挿通部６６０は、摺動部材６２０の底板部分を玉の流下方向へ延出させた延出部６７０に、溝状に形成してある。なお、延出部６７０は、第２玉樋部材６１２の外側部分に摺接するようになっており、その結果、前記操作部材挿通部６６０の溝状部分は、外部から視認できないようになり、端部のみが開口端として前面側（遊技者側）に開口している（図１参照）。
【００５２】
そこで、この実施例においては、前記玉箱７００の着脱に使用する操作部材７３０を共通に使用して、摺動部材６２０の操作部６４２を外部から操作することにより、係合部６４０と係合受部６５０との係合を解除し、摺動部材６２０を摺動させて玉樋部材６００を分割する一方、玉樋部材６００の嵌合段部６３１，６３２を互いに嵌合させ、この嵌合状態の嵌合段部６３１，６３２を摺動部材６２０で覆うことにより、分割した第１玉樋部材６１１と第２玉樋部材６１２とを接続するようにしている。
【００５３】
第１玉樋部材６１１と第２玉樋部材６１２とを接続した通常の状態では、摺動部材６２０が嵌合段部６３１，６３２を覆い、係合部６４０と係合受部６５０とが係合している。このため、摺動部材６２０は、摺動することができず、玉樋部材６００を分割することはできない。したがって、玉箱７００を取り外すこともできない。
【００５４】
次に、玉樋部材６００を分割するときには、摺動部材６２０の操作部材挿通部６６０に、操作部材７３０を挿通して、係止部９３０を後方へ押圧し、係合部６４０との係合を解除する。この解除状態では、摺動部材６２０を、第１玉樋部材６１１に沿って玉箱７００側へ摺動させることが可能である（図１７参照）。
【００５５】
そこで、摺動部材６２０を玉箱７００側へ摺動させると、第１玉樋部材６１１の嵌合段部６３１と、第２玉樋部材６１２の嵌合段部６３２との嵌合部分が露出する（図１８，１９の状態）。この嵌合段部６３１，６３２が露出した状態では第２玉樋部材６１２を計数機ユニット５００に枢着した軸５３０を支点にして回動させることができる（図２０の状
態）。すなわち、玉樋部材６００を、玉箱７００側の第１玉樋部材６１１と、計数機ユニット５００側の第２玉樋部材６１２とに分割することができる。そして、この玉樋部材６００を分割した状態においては、玉箱７００をベース板９００から取り外すことが可能になる（図２５参照）。
【００５６】
このように、摺動部材６２０を摺動させなければ玉樋部材６００を分割することはできないし、玉箱７００を取り外すこともできない。そして、摺動部材６２０を摺動させるには、係合部６４０と係合受部６５０との係合を解除しなければならず、係合を解除するためには、操作部材７３０が必要である。
【００５７】
このため、操作部材７３０を持たない遊技者は、玉樋部材６００や玉箱７００に対して悪戯や不正行為を行なうことができない。したがって、この実施例による各台計数機によれば、安全性を高めることができる。
【００５８】
このようにして、玉貸機本体２００と計数機ユニット５００を取付枠３００に配置すると、計数機能を台間玉貸機の下方に付加して各台計数機を形成することができ、遊技客の利便性が著しく向上する。一方、遊技店にとっても、遊技者が獲得した出玉を、店内の一隅に設けた景品カウンターや遊技機島の各設置場所に設置した計数機へ運ぶ手間がなくなり、きわめて有効である。また、遊技機島内を循環する玉が不足したり、偏ることがなくなるので、メリットが大きい。
【００５９】
そして、取付枠３００には、玉貸機本体２００の下方のスペースに、電源ユニット４００または計数機ユニット５００のいずれか一方を取り付けることができる。したがって、当初は電源ユニット４００を取り付けて計数機能のない台間玉貸機を構成しておき、後日、電源ユニット４００を計数機ユニット５００に交換すれば、計数機能を容易に追加して各台計数機とすることが可能である。このとき、電源ユニット４００は、取付枠３００の背面側に配置することができ、そこから玉貸機本体２００および各台計数機に電源を供給する。このため、従来の台間玉貸機を配置した遊技機島において、各台計数機の機能を追加する場合には、台間玉貸機の交換が必要であったが、この実施例によれば、玉貸機本体２００を交換する必要がない。ゆえに、この実施例による玉貸機本体２００を配置した遊技機島の場合、大幅な改修は不要である。
【００６０】
なお、この実施例では、例えば、図１０の分解した斜視図に示すように、取付枠３００の支柱部３１０の背面に、中継基板ユニット８００を取り付けて、この中継基板ユニット８００を介して種々の電気的な接続、および玉貸機本体２００の取付枠３００に対する着脱を行なうように構成している。
【００６１】
中継基板ユニット８００は、縦長で浅い箱状のケース体８１０の中に、唯一のコネクタ８２１を備えて電気的な中継を行なう中継基板８２０と、玉貸機本体２００を着脱するためのロック機構８３０とを備えている。また、中継基板ユニット８００には、玉貸機本体２００に向けて突出するガイドピン８７０および係止部８８０が設けてあり、玉貸機本体２００には、前記ガイドピン８７０および係止部８８０に対応する、受孔および係止受部が設けてある。このため、装着時に、玉貸機本体２００を所定の位置に案内するとともに、装着状態を確実に保持することができる。
【００６２】
このように、中継基板８２０を介して電気的な接続を行なうと、玉貸機本体２００の保守点検作業を行なう場合や、玉貸機本体２００を交換するために、玉貸機本体２００を着脱する際に、それぞれの配線を外し、また接続する手間を大幅に削減することができる。また、誤配線を防止することができるので、信頼性も向上する。
【００６３】
以上、本発明を図示の実施例について説明したが、本発明は前記した実施例に限定されるものではなく、特許請求の範囲に記載した構成を変更しない限り適宜に実施できる。例えば、遊技台としてパチンコ台について説明したが、他の遊技台に適用することも可能である。
【符号の説明】
【００６４】
１００  遊技台
１１０  上皿
２００  玉貸機本体
２１１  状態表示ランプ
２１２  残高・貯玉度数表示部
２１３  紙幣挿入口
２１４  切替スイッチ
２１５  持玉表示部
２１６  払出スイッチ
２１７  テンキー
２１８  返却ランプ
２１９  タグタッチ部
２２１  側板
２２２  係止爪
２３１  紙幣識別機
２３２  玉切りユニット
２３３  貸出しノズル
２３４  コアモジュール
２３５  制御基板
２３６  コイン・カードユニット
２３７  コイン挿入口
２３８  コイン返却口
２３９  会員カード挿入口
２５０  レール受部
３００  取付枠
３１０  支柱部
３１１  背板
３１２  側片
３２０  上止着部
３３０  下止着部
３４１  開口部
３４２  ねじ孔
３４３  取付片
３４４  取付孔
４００  電源ユニット
４１０  ケース
４２０  レール部
４２１  レール片
４３０  化粧部材
５００  計数機ユニット
５１０  ケース
５２０  レール部
５２１  レール片
５３０  軸
６００  玉樋部材
６１１  第１玉樋部材
６１２  第２玉樋部材
６２０  摺動部材
６３１  嵌合段部
６３２  嵌合段部
６４０  係合部
６４１  腕部材
６４２  操作部
６５０  係合受部
６６０  操作部材挿通部
６７０  延出部
７００  玉箱
７２０  係止部材
７２１  顎部
７２２  レバー部
７２３  受部
７３０  操作部材
７４０  底板下面
７４１  突起部
７４２  止着片
７４３  止着部
７５０  付勢部材
７６０  縁壁
７６１  操作部材挿入部
７７０  貯留空間
７７１  誘導リブ
８００  中継基板ユニット
８１０  ケース体
８２０  中継基板
８２１  コネクタ
８３０  ロック機構
８７０  ガイドピン
８８０  係止部
９００  ベース板
９１０  凹陥部
９２０  止着片受部
９３０  係止部
９３１  弾性腕
【図１】
2010233868.tif 000003
【図２】
2010233868.tif 000004
【図３】
2010233868.tif 000005
【図４】
2010233868.tif 000006
【図５】
2010233868.tif 000007
【図６】
2010233868.tif 000008
【図７】
2010233868.tif 000009
【図８】
2010233868.tif 000010
【図９】
2010233868.tif 000011
【図１０】
2010233868.tif 000012
【図１１】
2010233868.tif 000013
【図１２】
2010233868.tif 000014
【図１３】
2010233868.tif 000015
【図１４】
2010233868.tif 000016
【図１５】
2010233868.tif 000017
【図１６】
2010233868.tif 000018
【図１７】
2010233868.tif 000019
【図１８】
2010233868.tif 000020
【図１９】
2010233868.tif 000021
【図２０】
2010233868.tif 000022
【図２１】
2010233868.tif 000023
【図２２】
2010233868.tif 000024
【図２３】
2010233868.tif 000025
【図２４】
2010233868.tif 000026
【図２５】
2010233868.tif 000027